(57)【要約】【課題】冷房運転時における露受皿の下面部に結露が生じることを防止するために断熱材等の部材を後付けすると、部品点数の増加とともに製造工程が増えることになり、コストがかかるという問題点があった。本発明は、後付け部材を不要とすることができる空気調和機を提供する。【解決手段】露受皿の下面部に１本もしくは複数本のリブまたは溝を設けることにより、露受皿の下面部に結露が発生しても、結露水が露受皿の下面部から滴下することを防止する。【選択図】図２
2008175500.tif 000002
【特許請求の範囲】
【請求項１】
本体の前面側に設けた吸込口と、この吸込口より吸込まれた空気を吹出す吹出口と、前記吸込口と吹出口とを連通する風路内に配置された送風機と、前記風路内に配置されると共に前記送風機によって吸込口から吸込まれた室内空気と熱交換する熱交換器と、この熱交換器の下方に配置されて上面側に熱交換器からのドレン水を受けるドレン水路が形成されると共に下面部が前記吹出口の上壁となる露受皿とを備え、前記露受皿の下面部に左右に延びる複数本の凸状のリブを備えることを特徴とする空気調和機。
【請求項２】
本体の前面側に設けた吸込口と、この吸込口より吸込まれた空気を吹出す吹出口と、前記吸込口と吹出口とを連通する風路内に配置された送風機と、前記風路内に配置されると共に前記送風機によって吸込口から吸込まれた室内空気と熱交換する熱交換器と、この熱交換器の下方に配置されて上面側に熱交換器からのドレン水を受けるドレン水路が形成されると共に下面部が前記吹出口の上壁となる露受皿とを備え、前記露受皿の下面部に左右に延びる複数本の溝を備えることを特徴とする空気調和機。
【請求項３】
前記凸状のリブは、露受皿と一体成形されることを特徴とする請求項１に記載の空気調和機。
【発明の詳細な説明】
【技術分野】
【０００１】
本発明は、空気調和機の室内機に備えられる結露水処理機構に関するものである。
【背景技術】
【０００２】
冷房又は暖房運転時、送風機の回転によって吸込まれた空気は、熱交換器を通過することによって冷風又は温風が吹出口より吹出され室内温度が制御される。ここで、冷房運転時には熱交換器を通過する空気が冷やされるため、空気中に含まれる水蒸気が結露して熱交換器に露として付着する。
【０００３】
熱交換器に付着した露は、熱交換器のフィン等を伝わってその下部に集まり、熱交換器の下方に配置された上面側に熱交換器からのドレン水を受けるドレン水路が形成されると共に下面部が吹出口の上壁となる露受皿で受けた後にドレンホースなどによって外部に排出されている。
【０００４】
上面側のドレン水路には発泡スチロール等を同形状に成形した断熱材が接着剤等による後付けよって取り付けられている（例えば、特許文献１参照）。あるいは、吹出口上壁となる下面部には、より安価な不織布や植毛処理された植毛シートなどが取り付けられている。
【特許文献１】特開平６−１１１４８号公報
【発明の開示】
【発明が解決しようとする課題】
【０００５】
上記断熱材・不織布・植毛シート等を後付けする理由は、ドレン水路に冷やされたドレン水が停滞することによって、その露受皿の下面部が本体内に侵入した外気に触れることによって露が付き、この露が本体内もしくは本体の隙間から外部に滴下して室内を濡らすなどの不具合を防ぐためである。
【０００６】
しかしながら、上記のような断熱材・不織布・植毛シート等を後付けすることは、部品点数の増加と共に製造工程が増えることになり、その分コスト高となる問題点があった。
【０００７】
そこで、本発明はこのような問題点を解決するためになされたものであり、冷房運転時に露受皿の下面部に結露が生じることを防止するための後付け部材を不要とすることができる空気調和機を提供することを目的とするものである。
【課題を解決するための手段】
【０００８】
従来の課題を解決するために、本発明の空気調和機は、本体の前面側に設けた吸込口と、この吸込口より吸込まれた空気を吹出す吹出口と、前記吸込口と吹出口とを連通する風路内に配置された送風機と、前記風路内に配置されると共に前記送風機によって吸込口から吸込まれた室内空気と熱交換する熱交換器と、この熱交換器の下方に配置されて上面側に熱交換器からのドレン水を受けるドレン水路が形成されると共に下面部が前記吹出口の上壁となる露受皿とを備え、前記露受皿の下面部に左右に延びる複数本の凸状のリブを備えたものである。
【発明の効果】
【０００９】
本願発明によれば、露受皿の下面部に左右に延びる複数本の凸状のリブを形成したので、露受皿の下面部が外気に触れ、結露しても複数本の凸状のリブの間に露が表面張力により停滞するため、ドレン水路の下面部の結露水が外部へ滴下することがなくなる。しかも
、従来のような露付き防止用の後付け部材は不要となるので、部品点数や製造工程が増えることもなく、低コスト化を図ることができる。
【発明を実施するための最良の形態】
【００１０】
第１の発明は、本体の前面側に設けた吸込口と、この吸込口より吸込まれた空気を吹出す吹出口と、前記吸込口と吹出口とを連通する風路内に配置された送風機と、前記風路内に配置されると共に前記送風機によって吸込口から吸込まれた室内空気と熱交換する熱交換器と、この熱交換器の下方に配置されて上面側に熱交換器からのドレン水を受けるドレン水路が形成されると共に下面部が前記吹出口の上壁となる露受皿とを備え、前記露受皿の下面部に左右に延びる複数本の凸状のリブを備えたものである。
【００１１】
上記構成によれば、露受皿の下面部が外気に触れ、結露しても複数本の凸状のリブの間に露が表面張力により停滞するため、露受皿の下面部の結露水が外部へ滴下することがなくなる。
【００１２】
第２の発明は、本体の前面側に設けた吸込口と、この吸込口より吸込まれた空気を吹出す吹出口と、前記吸込口と吹出口とを連通する風路内に配置された送風機と、前記風路内に配置されると共に前記送風機によって吸込口から吸込まれた室内空気と熱交換する熱交換器と、この熱交換器の下方に配置されて上面側に熱交換器からのドレン水を受けるドレン水路が形成されると共に下面部が前記吹出口の上壁となる露受皿とを備え、前記露受皿の下面部に左右に延びる複数本の溝を備えたものである。
【００１３】
上記構成によれば、露受皿の下面部が外気に触れ、結露しても複数本の溝の間に露が表面張力により停滞するため、露受皿の下面部の結露水が外部へ滴下することがなくなる。また、目立たない構成となり室内本体の意匠性の向上が図れる。
【００１４】
第３の発明は、前記凸状のリブは露受皿と一体成形されたものである。上記構成によれば、リブを露受皿と一体成形することにより、人為的な加工手間や接着剤等の材料が不要であるため経済的である。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機の室内機の要部断面図であり、図２（ａ）は、室内機の結露水処理機構の断面図、図２（ｂ）は、拡大した露受皿４の断面図である。
【００１７】
冷房又は暖房運転時、送風機１の回転によって吸込まれた空気は、熱交換器２を通過することによって冷風又は温風が吹出口３より吹出され室内温度が制御される。ここで、冷房運転時には熱交換器２を通過する空気が冷やされるため、空気中に含まれる水蒸気が結露して熱交換器２に露として付着する。
【００１８】
熱交換器２に付着した露は、熱交換器２のフィン等を伝わってその下部に集まり、熱交換器２の下方に配置された露受皿４で受けた後にドレンホースなどによって外部に排出されている。連続的に冷房運転した場合には、常にドレン水路５には冷やされたドレン水が停滞するため、その露受皿４の下面部に本体内に侵入した外気が触れると結露が生じる。
【００１９】
そのため、露受皿４の下面部に左右に延びる複数本の凸状のリブがあるため結露しても複数本の凸状のリブ６の間に露が表面張力により停滞することとなる。
【００２０】
以上のように、本実施の形態において露受皿４の下面部に結露した水は、露受皿４の下面部に左右に延びる複数本の凸状のリブ６を設けることにより、外部へ滴下することがなくなる。
【００２１】
その結果、従来のような断熱材、不織布等といった露付き防止用の後付け部材は不要となるので、部品点数や製造工程が増えることもなく、低コスト化を図ることができる。更には、結露水を吸収した不織布にカビが発生したり埃が付着したりしないために、吹出口周りを清潔に保つことができる。
【００２２】
（実施の形態２）
図３（ａ）は、本発明の第２の実施の形態における室内機の結露水処理機構の断面図、図３（ｂ）は、拡大した露受皿４の断面図である。
【００２３】
露受皿４の下面部に左右に延びる複数本の溝７を設けることにより、露受皿４の下面部が結露しても複数本の溝の間に露が表面張力により停滞することとなる。
【００２４】
以上のように、本実施の形態において露受皿４の下面部に結露した水は、露受皿４の下面部に左右に延びる複数本の溝７を設けることにより、外部へ滴下することがなくなる。
【００２５】
その結果、不織布や断熱材を用いることなく、露受皿４の下面部の結露の滴下を防止することができると共に、目立たない構成となるため、意匠性の向上と材料費の削減により低コスト化を図ることができる。
【００２６】
（実施の形態３）
図４（ａ）は、本発明の第３の実施の形態における室内機の結露水処理機構の断面図、図４（ｂ）は、拡大した露受皿４の断面図である。ここでは、凸状のリブ８が露受皿４と一体成形されている。このようにすることにより、人為的な加工手間や接着剤等の材料が不要となる。
【００２７】
その結果、不織布や断熱材を用いることなく、安価に露受皿の下面部からの結露水の滴下を防止することができると共に、結露水を吸収した不織布にカビが発生したり埃が付着したりしないために、吹出口周りを清潔に保つことができると共に経済的である。
【産業上の利用可能性】
【００２８】
本発明は、空気調和機の室内機の結露水処理機構に適用されるものであり、露受皿の下面部に１本もしくは複数本のリブ及び溝を設けることにより、露受皿の下面部に結露が発生しても、結露水が露受皿の下面部から滴下することを防止できる。
【図面の簡単な説明】
【００２９】
【図１】本発明の実施の形態１における空気調和機の室内機の要部断面図
【図２】（ａ）本発明の実施の形態１における空気調和機の結露水処理機構の断面図（ｂ）露受皿の断面図
【図３】（ａ）本発明の実施の形態２における空気調和機の結露水処理機構の断面図（ｂ）露受皿の断面図
【図４】（ａ）本発明の実施の形態３における空気調和機の結露水処理機構の断面図（ｂ）露受皿の断面図
【符号の説明】
【００３０】
１  送風機
２  熱交換器
３  吹出口
４  露受皿
５  ドレン水路
６  リブ
７  溝
８  リブ
【図１】
2008175500.tif 000003
【図２】
2008175500.tif 000004
【図３】
2008175500.tif 000005
【図４】
2008175500.tif 000006